(57)【要約】【課題】ウイルスに対して高い不活化効果を有する嘔吐物処理剤を提供する。【解決手段】嘔吐物処理剤は、亜塩素酸塩を第一成分とし、ケイ酸塩を含む酸化剤および炭酸塩の混合物を第二成分とし、高吸水性ポリマーを第三成分とし、第一成分、第二成分および第三成分を含んでいる。【選択図】    なし【特許請求の範囲】
【請求項１】
亜塩素酸塩を第一成分とし、ケイ酸塩を含む酸化剤および炭酸塩の混合物を第二成分とし、高吸水性ポリマーを第三成分とし、第一成分、第二成分および第三成分を含むことを特徴とする嘔吐物処理剤。
【請求項２】
前記ケイ酸塩を含む酸化剤が、ｐＨ６．５以下に調整したケイ酸塩である請求項１に記載の嘔吐物処理剤。
【請求項３】
前記ケイ酸塩を含む酸化剤が、ケイ酸塩と酸の混合物である請求項１または２に記載の嘔吐物処理剤。
【請求項４】
前記酸が、無水コハク酸、無水マレイン酸、クエン酸、硫酸水素ナトリウム、過硫酸ナトリウムからなる群から選ばれる１種以上の酸である請求項３に記載の嘔吐物処理剤。
【請求項５】
前記第一成分、第二成分および第三成分が、重量で第一成分１に対して第二成分が２〜１０、第一成分１に対して第三成分が１０〜２０の比率で配合されている請求項１〜４のうちのいずれか１項に記載の嘔吐物処理剤。
【請求項６】
前記第二成分において、重量でケイ酸塩を含む酸化剤１に対して炭酸塩が０．５〜１．５の比率で配合されている請求項１〜５のいずれかに記載の嘔吐物処理剤。
【請求項７】
嘔吐物上に請求項１〜６のいずれか１項に記載された嘔吐物処理剤を撒き、嘔吐物を消毒するとともに凝固させることを特徴とする嘔吐物処理方法。
【発明の詳細な説明】
【技術分野】
【０００１】
本発明はウイルスの不活化作用と凝固作用とを併せ持つ嘔吐物処理剤に関する。
【背景技術】
【０００２】
近年、ノロウイルスによる食中毒や感染症（ウイルス性急性胃腸炎）の増加が報告されている（非特許文献１参照）。ノロウイルスの感染経路は主として経口感染、接触感染、飛沫感染であり、汚染された食品の摂取、患者の嘔吐物や排泄物の飛沫の吸入、嘔吐物や排泄物を処理する人への付着等によって感染する。
【０００３】
一般に、嘔吐物や排泄物等の汚物処理方法としては、消毒剤および凝固剤を含む処理剤を汚物上に撒いて、消毒するとともに汚物を固形化して細菌やウイルス飛散を防ぐ方法が知られている（特許文献１〜３参照）。汚物は凝固しているので、回収作業から焼却までの作業を簡単に行える。
【０００４】
引用文献１に記載された処理剤は、チアゾール系、イミダゾール系等の有機消毒剤と、金属硫酸塩等の防臭剤と、高吸水性ポリマーとの混合物であり、汚物中の微生物を滅殺するとともに汚物中の水分を吸収してゲル化、固化することによって容器等への回収を容易にしたものである。引用文献２に記載された処理剤は、２−フェノキシエタノール等の有機抗菌剤と高分子化合物からなる固化剤とＬＰＧ等の噴射剤の混合物であり、汚物を包み込むように処理剤を噴射して速やかに固化させるというものである。引用文献３に記載された処理剤は亜塩素酸塩とクエン酸等の有機酸と高吸水性ポリマーとの混合物であり、亜塩素酸塩と酸と嘔吐物に含まれる水分とによって二酸化塩素を発生させ、二酸化塩素による消毒するともに、嘔吐物中の水分を吸収して固化するものである。
【０００５】
一方、非特許文献１の第１頁１２−１３行目において、「厚生労働省はノロウイルスを不活化させる方法として、（中略）次亜塩素酸ナトリウムによる処理が有効であるとして、その適用を推奨している」と記載されている。また、第２頁３０−３１行において、高木らが炭酸ナトリウムおよび過炭酸ナトリウムがノロウイルスの代替ウイルスであるネコカリシウイルスの不活化に効果があることを報告していることが記載されている。第５頁の表２は、高濃度のアルコールや二酸化塩素（特許文献３記載の消毒剤）もネコカリシウイルスの不活化に効果があることを示している。
【先行技術文献】
【特許文献】
【０００６】
【特許文献１】特開平６−１５４７９４号公報（特許請求の範囲、明細書［０００７］〜、［００１４］［００１５］参照）
【特許文献２】特開２００５−１３９４８号公報（特許請求の範囲、明細書［００１１］）
【特許文献３】特開２００８−１６９１８６号公報（特許請求の範囲、明細書［０００５］参照）
【非特許文献】
【０００７】
【非特許文献１】平成２０年度ノロウイルスの不活化条件に関する調査報告書、国立医薬品食品衛生研究所  食品衛生部  山本茂貴、野田衛
【発明の概要】
【発明が解決しようとする課題】
【０００８】
ノロウイルスは１０〜１００個程度のウイルスで感染が成立する極めて強い感染力を有しているため、感染者の嘔吐物処理には殺菌力の強い消毒剤が望まれる。
【０００９】
非特許文献１の第１−５頁に記載されたネコカリシウイルスに対する不活化試験の結果によると、次亜塩素酸ナトリウム、炭酸ナトリウム、過炭酸ナトリウム、二酸化塩素、高濃度アルコールは、有機物が存在しないウイルス液に対してはいずれも不活化効果を有している。ところが、有機物を含む嘔吐物を想定した５％牛血清アルブミンの存在下では５０００ｐｐｍ次亜塩素酸ナトリウムを除く全ての消毒剤の不活化効果が低下している。
【００１０】
次亜塩素酸ナトリウムは強い殺菌力を有しているが、その反面、金属に対する腐食作用、皮膚等に対する刺激作用、衣類に対する漂白作用があるため、その使用が制限される場合がある（非特許文献１第1頁１４−１７行目）。５０００ｐｐｍという高濃度であれば、なおさら厳しい使用制限を受ける。このため、嘔吐物処理剤に次亜塩素酸ナトリウムを用いることは躊躇される。
【００１１】
塩素系消毒剤である二酸化塩素は次亜塩素酸ナトリウムよりも安全性が高いことが知られおり、非特許文献１の不活化試験においてもネコカリシウイルスに対する不活化効果が確認されている。しかし、有機物の存在下では不活化効果が低下することも報告されている。
【課題を解決するための手段】
【００１２】
本発明は、上述した技術背景に鑑み、次亜塩素酸ナトリウム以外の消毒剤を用いてウイルスに対して高い不活化効果を有する嘔吐物処理剤およびその関連技術を提供するものである。
【００１３】
即ち、本発明は下記［１］〜［７］に記載の構成を有する。
【００１４】
［１］亜塩素酸塩を第一成分とし、ケイ酸塩を含む酸化剤および炭酸塩の混合物を第二成分とし、高吸水性ポリマーを第三成分とし、第一成分、第二成分および第三成分を含むことを特徴とする嘔吐物処理剤。
【００１５】
［２］前記ケイ酸塩を含む酸化剤が、ｐＨ６．５以下に調整したケイ酸塩である前項１に記載の嘔吐物処理剤。
【００１６】
［３］前記ケイ酸塩を含む酸化剤が、ケイ酸塩と酸の混合物である前項１または２に記載の嘔吐物処理剤。
【００１７】
［４］前記酸が、無水コハク酸、無水マレイン酸、クエン酸、硫酸水素ナトリウム、過硫酸ナトリウムからなる群から選ばれる１種以上の酸である前項３に記載の嘔吐物処理剤。
【００１８】
［５］前記第一成分、第二成分および第三成分が、重量で第一成分１に対して第二成分が２〜１０、第一成分１に対して第三成分が１０〜２０の比率で配合されている前項１〜４のうちのいずれか１項に記載の嘔吐物処理剤。
【００１９】
［６］前記第二成分において、重量でケイ酸塩を含む酸化剤１に対して炭酸塩が０．５〜１．５の比率で配合されている前項１〜５のいずれかに記載の嘔吐物処理剤。
【００２０】
［７］嘔吐物上に前項１〜６のいずれか１項に記載された嘔吐物処理剤を撒き、嘔吐物を消毒するとともに凝固させることを特徴とする嘔吐物処理方法。
【発明の効果】
【００２１】
［１］に記載の嘔吐物処理剤によれば、第一成分である亜塩素酸塩は、嘔吐物中の水分の存在下で第二成分のケイ酸塩を含む酸化剤と反応して二酸化塩素ガスを発生し、二酸化塩素による消毒作用が得られる。また、同時に発生する二酸化炭素によって嘔吐物処理剤と嘔吐物とが攪拌されて混ざり合い、二酸化塩素とウイルスや細菌との接触面積が増大することで強い消毒作用が得られる。二酸化塩素は二酸化炭素による攪拌作用を伴って強い消毒作用を発揮するので、嘔吐物のような有機物の存在下でもウイルスや細菌を不活化させることができる。
【００２２】
また、二酸化炭素による攪拌作用によって第三成分である高吸水性ポリマーも嘔吐物と混ざり合うので、短時間で嘔吐物を凝固させることができる。
【００２３】
［２］［３］［４］に記載の嘔吐物処理剤によれば、亜塩素酸塩に対する酸化作用を高めて二酸化塩素の生成量を増大させることができ、ひいてはウイルスや細菌に対する不活化効果を高めることができる。
【００２４】
［５］に記載の嘔吐物処理剤によれば、二酸化塩素の発生効率が良く強い消毒作用を得ることができ、かつ消毒作用と凝固作用とのバランスが良い。
【００２５】
［６］に記載の嘔吐物処理剤によれば、系が酸性域に保持されるので二酸化塩素の発生効率が良い。
【００２６】
［７］に記載の嘔吐物処理方法によれば、嘔吐物処理剤の上記効果により、ウイルスや細菌を含む嘔吐物を消毒し、かつ短時間で凝固させることができる。
【発明を実施するための形態】
【００２７】
［嘔吐物処理剤およびその効果］
本発明の嘔吐物処理剤は、消毒作用を有する二酸化塩素を発生させるための成分として第一成分および第二成分を含有し、嘔吐物を凝固させるための成分として第三成分を含有する。各成分の形態は粒状あるいは粉状であり、嘔吐物処理剤はこれらの混合物である。
【００２８】
第一成分である亜塩素酸塩は、嘔吐物中の水分の存在下で第二成分のケイ酸塩を含む酸化剤と反応して二酸化塩素ガスを発生する。また、この反応と同時に、第二成分のケイ酸塩を含む酸化剤と炭酸塩が反応して二酸化炭素ガスを発生する。
【００２９】
発生した二酸化塩素ガスは嘔吐物に溶け込んで消毒作用を発揮し、嘔吐物中のウイルスや細菌（以下、「ウイルス等」と略する）を不活化する。炭酸塩はそれ自体が高い消毒作用を有しているので、未反応の炭酸塩もウイルス等を不活化する。また、二酸化炭素ガスが発生することで処理剤と嘔吐物とが攪拌されて混ざり合うため、上記反応によって発生する二酸化塩素および未反応の炭酸塩が嘔吐物の表面に留まることなく内部にまで入り込み、二酸化塩素および炭酸塩とウイルス等との接触面積が増大して広範囲で消毒作用を発揮して強い消毒作用が得られる。二酸化塩素は処理剤と水分との接触部、即ち処理剤と嘔吐物との接触部で発生するので、発生した二酸化塩素は無駄なくウイルス等の不活化に費やされる。また、二酸化塩素は消臭効果も有しているので嘔吐物の悪臭も抑えられる。
【００３０】
また、二酸化炭素の発生による攪拌作用によって第三成分である高吸水性ポリマーと嘔吐物とが混ざり合い、高吸水性ポリマーと嘔吐物との接触面積も増大するので、短時間で嘔吐物の凝集および凝固が進む。
【００３１】
本発明の嘔吐物処理剤によれば、二酸化炭素の発生による攪拌作用によって、嘔吐物内に二酸化塩素および炭酸塩によるウイルス不活化効果が行き渡らせることができるとともに、嘔吐物を短時間で凝固させることができる。嘔吐物は十分に消毒されて凝固しているので、回収時のウイルスの飛散や作業者へのウイルス付着が防がれて作業の安全性が担保され、回収時の感染リスクを減じることができる。また、嘔吐物が短時間で消毒され凝固することでウイルス飛散のおそれのある期間が短縮されるので、これによっても感染リスクを減じることができる。
【００３２】
［嘔吐物処理剤の構成成分］
以下に、本発明の嘔吐物処理剤の構成成分について詳述する。
【００３３】
第一成分は亜塩素酸塩であり、酸によって二酸化塩素を生成する成分である。亜塩素酸塩は安定した固体である。消毒剤として作用するのは二酸化塩素であるが、常温で気体の二酸化塩素よりも固体の亜塩素酸塩の方が取り扱い易く、嘔吐物処理剤の調製や保管に適している。
【００３４】
本発明で使用できる亜塩素酸塩として、亜塩素酸ナトリウム、亜塩素酸カルシウム、亜塩素酸カリウム、亜塩素酸マグネシウム、亜塩素酸バリウム等を挙げることができる。これらの塩のうちでも、特に亜塩素酸ナトリウムを用いることが好ましい。亜塩素酸ナトリウムは工業的に漂白剤や食品添加物として広く用いられており、入手し易くコスト面でも有利である。
【００３５】
第二成分はケイ酸塩を含む酸化剤および炭酸塩であり、嘔吐物に含まれる水分の存在下の反応により二酸化塩素および二酸化炭素を発生させる成分である。ケイ酸塩を含む酸化剤は亜塩素酸塩を酸化して二酸化塩素を発生させるとともに、炭酸塩とも反応して二酸化炭素を発生させる。
【００３６】
前記ケイ酸塩を含む酸化剤は、亜塩素酸塩に対する酸化作用を高めて二酸化塩素の生成量を増大させるために、反応系を酸性域に維持できるものであることが好ましい。嘔吐物は有機物を含んでおり、生成した二酸化塩素は嘔吐物中の有機物の分解にも消費される。このため、嘔吐物中のウイルスに対する不活化効果を高めるために、二酸化塩素の生成量を増大させ得る酸化剤を用いる。本発明においては、高い酸化作用が得られる酸化剤として、ｐＨを調整したケイ酸塩を使用するか、あるいはケイ酸塩と酸の混合物を使用することを推奨する。
【００３７】
ｐＨを調整したケイ酸塩とは、ケイ酸塩を酸処理してｐＨを調整したものである。酸処理を行っていないケイ酸塩でも亜塩素酸塩に対する酸化作用を有しているが、酸化作用を高めてより多くの二酸化塩素を発生させるためには、酸処理によってｐＨ７未満、さらにはｐＨ６．５以下の酸性域に調整したケイ酸塩を用いることが好ましい。ｐＨ６以下に調整したケイ酸塩はさらに好ましく、ｐＨ４．５〜６に調整したケイ酸塩はなお一層好ましい。ｐＨを調整したケイ酸塩として、ケイ酸ナトリウムを酸処理してゲル化したシリカゲルを例示できる。
【００３８】
嘔吐物処理剤の調製には固体のケイ酸塩を使用するが、本発明において固体ケイ酸塩のｐＨは、固体ケイ酸塩を中性水中で湿潤させ、ｐＨ計よって測定した値である。
【００３９】
上述したように、酸化剤としてケイ酸塩のみを使用する場合はｐＨ７未満、さらにｐＨ６．５以下に調整したケイ酸塩を使用することが好ましいが、酸を加えることによって、Ｈ７以上のケイ酸塩でも亜塩素酸塩に対する酸化作用を高めて二酸化塩素の生成量を増大させることができる。また、ケイ酸塩と酸の混合物を用いる場合ケイ酸塩のｐＨは限定されない。酸処理によるｐＨ調整を行わないケイ酸塩と酸の混合物の他、上記のように酸処理によってｐＨ調整したケイ酸塩と酸との混合物を用いることもできる。
【００４０】
本発明で使用できるケイ酸塩として、ケイ酸ナトリウム、ケイ酸カルシウム、ケイ酸カリウム、ケイ酸アルミニウム、ケイ酸マグネシウム、ケイ酸バリウム等を挙げることができる。これらの塩のうちでも、特にケイ酸ナトリウムを用いることが好ましい。ケイ酸ナトリウムはシリカゲル等の乾燥剤の工業的主原料の一つであり、コスト面で有利である。前記ケイ酸塩は１種を単独で使用しても良いし２種以上を併用することもできる。
【００４１】
また、酸としては、無水コハク酸、無水マレイン酸、クエン酸、硫酸水素ナトリウム、過硫酸ナトリウムからなる群から選ばれる１種以上の酸を用いることが好ましい。これらの酸は亜塩素酸塩に対する酸化作用を有している。
【００４２】
炭酸塩は、ケイ酸塩を含む酸化剤との反応により二酸化炭素を発生させる成分である。また、炭酸塩はそれ自体がウイルスに対して不活化効果を有する消毒剤でもあり、未反応の炭酸塩は消毒剤として作用する。
【００４３】
本発明で使用できる炭酸塩は、炭酸ナトリウム、炭酸水素ナトリウム、過炭酸ナトリウム、炭酸アンモニウム、炭酸カリウム、炭酸カルシウム、炭酸バリウム、炭酸マグネシウム、炭酸リチウム、炭酸銅等を挙げることができる。これらの塩のうちでも、特に炭酸ナトリウムまたは炭酸水素ナトリウムを用いることが好ましい。これらの炭酸塩が好ましい理由は、水溶性が高く、入手し易くコスト面で有利であるためである。前記炭酸塩は１種を単独で使用しても良いし２種以上を併用することもできる。
【００４４】
第三成分である高吸水性ポリマーは、嘔吐物中の水分を吸収して嘔吐物を凝固させるために配合される。嘔吐物を固形化することによって回収が容易になる。本発明で使用する高吸水性ポリマーは特に限定されないが、ポリアクリル酸ナトリウム共重合体、ポリスルホン酸塩系ポリマー、無水マレイン酸系ポリマー、ポリアクリルアミド系ポリマー、ポリビニルアルコール系ポリマー、ポリエチレンオキサイド系ポリマーを例示できる。前記高吸水性ポリマーは１種を単独で使用しても良いし２種以上を併用することもできる。
【００４５】
前記高吸水性ポリマーのうちでもポリアクリル酸ナトリウム共重合体は吸水効率が高く、本発明で使用する高吸水性ポリマーとして推奨できる。ポリアクリル酸ナトリウム共重合体は、純水であれば自重の１００〜１０００倍、塩を含む場合は自重の１０〜５０倍程度の水分を吸収する。
【００４６】
［嘔吐物処理剤の配合］
本発明の嘔吐物処理剤において、第一成分は発生する二酸化塩素の総量を規定する成分である。従って、本発明においては二酸化塩素源となる第一成分の量を基準とし、第一成分に対する第二成分および第三成分の配合比率で三成分の配合比率を規定する。３つの成分の好ましい配合比率は以下のとおりである。以下の比率は全て重量比率である。
【００４７】
第一成分１に対して第二成分は２〜１０の範囲が好ましく、この範囲において二酸化塩素の発生効率が良く強い消毒作用を得ることができる。特に好ましい配合比率は第一成分１に対して第二成分が３〜７の範囲である。また、二酸化塩素の生成反応は酸性域で促進されるので、系が酸性域に保持されるように、第二成分はケイ酸塩を含む酸化剤１に対して炭酸塩０．５〜１．５の比率で配合されていることが好ましく、さらに０．８〜１．５が好ましい。ケイ酸塩を含む酸化剤と炭酸塩の比率を前記範囲内とすることによって、系が酸性域に保持されるとともに、未反応の炭酸塩が残ることで炭酸塩による不活化効果も享受できる。また、亜塩素酸塩の酸化剤としてケイ酸塩と酸の混合物を用いる場合、ケイ酸塩と酸の比率の好ましい範囲はケイ酸塩１に対して酸０．０１〜０．５であり、さらに好ましい範囲はケイ酸塩１に対して酸０．０３〜０．３である。また、酸は第一成分１に対して０．０５〜３の範囲で用いることが好ましく、さらに好ましい範囲は第一成分１に対して酸０．０８〜２である。
【００４８】
第一成分１に対して第三成分は１０〜２０の範囲が好ましく、この範囲において消毒作用と凝固作用のバランスの良い処理剤となし得る。第一成分の比率が過剰になると相対的に第三成分が少なくなるので、十分に消毒されているのに凝固が不十分となり、十分に凝固させるために嘔吐処理剤の使用量を増やすことになる。このような配合比率はコスト面で得策ではない。逆に、第三成分の比率が過剰になると十分に消毒されていないうちに凝固してしまうおそれがあり、嘔吐物の回収時に感染リスクを残すことになる。特に好ましい配合比率は、第一成分１に対して第三成分が１５〜１８の範囲である。
【００４９】
また、本発明の嘔吐物処理剤は、消毒作用および凝固作用を阻害しない限り成分を追加することができる。
【００５０】
上述した材料は粉末状または粒状であり、嘔吐物処理剤はこれらを所定の比率で混合したものである。本発明はこれらの粒子径を規定するものではないが、異種材料を均一に混合するために直径１０〜１０００μｍに粒度調整した材料を用いることが好ましい。
【００５１】
［嘔吐物の処理方法］
本発明の嘔吐物処理剤は嘔吐物上に撒いて、嘔吐物を消毒するとともに凝固させる。このとき、嘔吐物処理剤の使用量は高吸水性ポリマーの吸収力および配合量を目安とすればおおよその適量を割り出すことができる。例えば、高吸水性ポリマーとしてポリアクリル酸ナトリウム共重合体が配合された嘔吐物処理剤は、ポリアクリル酸ナトリウム共重合体が塩を含む水分を自重の１０〜５０倍程度の水分を吸収する能力があることに基づいて、嘔吐物１Ｌに対して２０〜１００ｇの高吸水性ポリマーを含む量が適量となる。従って、例えば第一成分：第二成分：第三成分＝１：７：１５で配合された嘔吐物処理剤は嘔吐物１Ｌに対して３１〜１５３ｇが適量であり、嘔吐物は３〜１０分程度で凝固する。
【００５２】
また、凝固させて回収した嘔吐物は焼却することが好ましい。
【実施例】
【００５３】
［実施例１］
第一成分として亜塩素酸ナトリウム、第二成分のケイ酸塩を含む酸化剤としてｐＨ６のシリカゲル、第二成分の炭酸塩として炭酸ナトリウム、第三成分の高吸水性ポリマーとしてポリアクリル酸ナトリウム共重合体を用い、これらを表１に示す配合比率で混合して嘔吐物処理剤を調製した。前記シリカゲルはケイ酸ナトリウムに硫酸を加えてｐＨ調整した後に乾燥したものである。
【００５４】
【表１】
2015205234.tif 000002
【００５５】
調製した嘔吐物処理剤について、下記の方法により、二酸化塩素の発生を確認するとともに、ウイルスに対する不活化効果試験を行った。この試験は出願人が東京都渋谷区元代々木町５２番１号一般財団法人日本食品分析センターに依頼したものであり、以下の説明は、２０１３年８月１日に出願人に提出された試験報告書報告（第１３０５５４６６００１−０１号）に基づいている。
【００５６】
［検体溶液の調製］
精製水１Ｌに前記嘔吐物処理剤５０ｇを添加して調製したものを検体溶液とした。
【００５７】
［二酸化塩素の発生］
前記検体溶液を精製水で１００倍に希釈した溶液について、二酸化塩素測定器（ＨＡＣＨ社製）により測定したところ、２．２ｍｇ／Ｌの二酸化塩素が発生していることを確認した。
【００５８】
［ウイルスに対する不活化効果］
ネコカリシウイルスに対する不活化効果を調べた。ネコカリシウイルスは細胞培養が不可能なノロウイルスの代替ウイルスとして広く使用されている。
【００５９】
（試験方法）
（１）試験ウイルス
Feline calicivirus F-9 ATCC VR-782（ネコカリシウイルス）
（２）使用細胞
CRFK細胞（大日本製薬株式会社）
（３）使用培地
１）細胞増殖培地
イーグルＭＥＭ培地「ニッスイ」（ニッスイ製薬株式会社）に牛胎仔血清を１０％加えたものを使用した。
【００６０】
２）細胞維持培地
イーグルＭＥＭ培地「ニッスイ」（ニッスイ製薬株式会社）に牛胎仔血清を２％加えたものを使用した。
（４）ウイルス浮遊液の調製
前記細胞増殖培地を用い、使用細胞を組織培養用フラスコ内に単層培養した。
【００６１】
単層培養後にフラスコ内から細胞増殖培地を除き、試験ウイルスを接種した。次に、細胞維持培地を加えて３７℃±１℃の炭酸ガスインキュベーター（ＣＯ２濃度：５％）内で１〜５日間培養した。
【００６２】
培養後、倒立位相差顕微鏡を用いて細胞の形態を観察し、細胞に形態変化（細胞変性効果）が起こっていることを確認した。次に、培養液を遠心分離（３０００ｒ／ｍｉｎ、１０分間）し、得られた上澄み液を３０％牛血清アルブミン溶液で１０倍に希釈し、ウイルス浮遊液とした。
【００６３】
（５）試験操作
前記検体溶液４．９ｍＬに牛血清アルブミンの最終濃度が５％となるように、前記ウイルス浮遊液を１．１ｍＬを添加、混合し、これを作用液とした。
【００６４】
前記作用液を室温で作用させ、３分後および３０分後に細胞維持培地を用いて１００倍に希釈し、ウイルス感染価を測定した。また、対照として検体溶液のかわりに精製水を用いて同様の方法で作用液を調製し、開始時、３分後および３０分後に同様の方法でウイルス感染価を測定した。また、検体の作用開始時のウイルス感染価は、対照の開始時のウイルス感染価と見なした。
【００６５】
（６）ウイルス感染価の測定
前記細胞増殖培地を用い、使用細胞を組織培養用マイクロプレート（９６穴）内で単層培養した後、細胞増殖培地を除き細胞維持培地を０．１ｍＬずつ加えた。次に、１００倍希釈後の作用液および対照を、細胞維持培地を用いて１０倍段階希釈した。その希釈液０．１ｍＬを４穴ずつに接種し、３７℃±１℃の炭酸ガスインキュベーター（ＣＯ２濃度：５％）内で４〜７日間培養した。培養後、倒立位相差顕微鏡を用いて細胞の形態変化（細胞変性効果）の有無を観察し、Ｒｅａｄ−Ｍｕｅｎｃｈ法により５０％組織培養感染量（Median tissue culture infectious dose,ＴＣＩＤ５０）を算出して作用液１ｍＬ当たりのウイルス感染価（ＴＣＩＤ５０／ｍＬ）に換算した。
【００６６】
検体および対照の、作用開始時、３分後、３０分後のウイルス感染価の対数値、および開始時からの減少差を表２に示す。
【００６７】
また、参考例として、非特許文献１の第１〜７頁の「III各種消毒剤等のネコカリシウイルスに対する不活化試験」より、５０００ｐｐｍ次亜塩素酸ナトリウム、１０００ｐｐｍ次亜塩素酸ナトリウム、２００ｐｐｍ次亜塩素酸ナトリウム、市販品Ｌ（二酸化塩素／除菌防かび消臭）について、５％アルブミン存在下、作用時間３分（第２頁１５行目参照）で測定したウイルス感染価の対数値および開始時からの減少差を引用し、これらを表２に併せて示す。
【００６８】
【表２】
2015205234.tif 000003
【００６９】
表２に示した試験結果より、本発明の嘔吐物処理剤は５％牛血清アルブミン存在下においても二酸化塩素がウイルス不活化効果を有していることを確認した。一方、参考例の市販品Ｌは５％牛血清アルブミン存在下では二酸化塩素のウイルス不活化効果が失われていることから、本発明の嘔吐物処理剤は二酸化塩素のウイルス不活化効果が有機物存在下においても失われていないことを裏付けている。
【００７０】
また、本発明の嘔吐物処理剤のウイルス不活化効果は、２００ｐｐｍ次亜塩素酸ナトリムを超えるものであり、１０００ｐｐｍ次亜塩素酸ナトリウムに匹敵するものであることを確認した。これらの結果は、本発明の嘔吐物処理剤が、腐食作用等により使用が制限される次亜塩素酸ナトリウムに代えて、ノロウイルスに対する消毒剤となり得ることを示している。
【００７１】
なお、本実施例においてはノロウイルスの代替ウイルスであるネコカリシウイルスに対する不活化効果を調べたが、これらが薬剤耐性の強いウイルスであることから、本発明の嘔吐物処理剤はこれらのウイルスよりも弱いウイルスや細菌に対しても不活化効果を有していると推測される。
【００７２】
以下の実施例２および実施例３においては、実施例１とは組成の異なる嘔吐物処理剤を調製し、二酸化塩素の発生量および凝固状態を調べた。
【００７３】
［実施例２］
第二成分のケイ酸塩を含む酸化剤としてｐＨ７のシリカゲル（冨士シリシア化学株式会社製、粒径４２０μｍ）と無水コハク酸の混合物を用いたことを以外は、実施例１と同じ材料を用い、これらを表１に示す配合比率で混合して嘔吐物処理剤を調製した。
【００７４】
実施例１と同じく、精製水１Ｌに前記嘔吐物処理剤５０ｇを添加して調製したものを検体溶液とし、さらに精製水で１００倍に希釈した溶液について発生した二酸化塩素を測定したところ、２．８ｍｇ／Ｌであった。
【００７５】
実施例２で発生した二酸化塩素量は実施例１を上まわるものであり、実施例１を上まわるウイルス不活化効果を有するものと推察される。
【００７６】
また、検体溶液（嘔吐物処理剤５０ｇ／精製水１Ｌ）は約５分後に凝固した。
【００７７】
［参考例］
第二成分のケイ酸塩としてｐＨ７のシリカゲル（冨士シリシア化学株式会社製、粒径４２０μｍ）を用いたことを以外は、実施例１と同じ材料を用い、これらを表１に示す配合比率で混合して嘔吐物処理剤を調製した。
【００７８】
実施例１と同じく、精製水１Ｌに前記嘔吐物処理剤５０ｇを添加して調製したものを検体溶液とし、さらに精製水で１００倍に希釈した溶液について発生した二酸化塩素を測定したところ、０．１２ｍｇ／Ｌであった。
【００７９】
本例と実施例１、２との対照において、ｐＨ７のケイ酸塩のみでは亜塩素酸ナトリウムに対する酸化作用が低いことを示している。換言すると、ケイ酸塩の酸処理（実施例１）または酸の添加（実施例２）が亜塩素酸ナトリウムに対する酸化作用を高めることを裏付けている。
【産業上の利用可能性】
【００８０】
本発明の嘔吐物処理剤はノロウイルスのような感染力の強いウイルス感染者の嘔吐物の処理に利用できる。